(57)【特許請求の範囲】
【請求項１】
第１結合部位と第２結合部位を持つ被検出物質と前記被検出物質の前記第１結合部位に特異的に結合可能な磁性粒子が分散されている第１液体を供給するための供給領域、及び前記供給領域から展開される前記第１液体が通過する選別領域が配置されている第１フローチャネルと、
前記選別領域に捕らえられた前記磁性粒子に結合された前記被検出物質と前記磁性粒子とを展開するために前記選別領域に接続可能に構成されている接続領域、及び前記接続領域から展開される前記被検出物質の前記第２結合部位に結合可能な検出物質を有する検出領域が配置されている第２フローチャネルと、
前記選別領域に前記接続領域を接続可能に構成され、前記供給領域から前記選別領域を通過して前記第１液体が流れる選別状態から、前記選別領域と前記接続領域を接続した後に前記接続領域から前記磁性粒子に結合された前記被検出物質と前記磁性粒子とを展開する検出状態に切り換えるための接続機構と、
前記検出状態における前記選別領域の磁界よりも、前記選別状態における前記選別領域の磁界を強めるように前記選別領域に磁界を印加する磁界印加機構と
を備える、検出装置。
【請求項２】
前記第１フローチャネルは、前記供給領域から毛細管現象によって前記第１液体を展開するための第１シートを含み、前記第１シートに前記選別領域が配置され、
前記第２フローチャネルは、前記接続領域から前記検出領域に毛細管現象によって前記磁性粒子に結合された前記被検出物質と前記磁性粒子とを展開するための第２シートを含み、前記第２シートに前記接続領域が配置され、
前記接続機構は、前記選別状態には前記第１シートと前記第２シートとが離隔している状態に保ち、前記検出状態には前記第１シートと前記第２シートとが接触している状態に切り換える、
請求項１に記載の検出装置。
【請求項３】
前記第１フローチャネル及び前記第２フローチャネルは、前記接続機構によって前記選別領域と前記接続領域とが接触している状態で前記供給領域と前記選別領域とを繋げたままにして、前記被検出物質と前記磁性粒子が分散されていない第２液体を前記供給領域に供給することにより、前記接続領域を経由して前記検出領域に向け前記選別領域に捕らえられた前記磁性粒子に結合された前記被検出物質と前記磁性粒子とを流せるように構成されている、
請求項２に記載の検出装置。
【請求項４】
前記磁界印加機構は、前記第１フローチャネルに対して移動脱可能に構成され、前記選別状態のときに在る場所から前記選別状態と前記検出状態の間に移動させることにより、前記選別状態における前記選別領域の磁界を前記検出状態における前記選別領域の磁界よりも強く印加する、
請求項１から３のいずれか一項に記載の検出装置。
【請求項５】
前記磁界印加機構は、前記第２フローチャネルに沿うように前記選別領域から前記検出領域に向けて磁界を移動させるモータをさらに備える、
請求項１から４のいずれか一項に記載の検出装置。
【請求項６】
前記検出領域に捕捉される前記磁性粒子を、磁束を用いて検出するセンサをさらに備える、
請求項１から５のいずれか一項に記載の検出装置。
【請求項７】
第１結合部位と第２結合部位を持つ被検出物質と前記被検出物質の前記第１結合部位に結合可能な磁性粒子が分散されている第１液体を第１フローチャネルの供給領域から前記第１フローチャネルの選別領域を経由して流し、前記選別領域に印加される磁界で前記磁性粒子と前記磁性粒子に結合されている前記被検出物質とを前記選別領域に捕捉する選別工程と、
前記選別工程よりも前記選別領域に印加される磁界を弱め、前記選別領域を第２フローチャネルの接続領域に接続して前記被検出物質と前記磁性粒子が分散されていない第２液体を前記接続領域から前記第２フローチャネルの検出領域に向けて流し、磁束を用いて前記検出領域で前記磁性粒子に結合された前記被検出物質を検出する検出工程と
を備える、検出方法。
【請求項８】
第１結合部位と第２結合部位を持つ被検出物質と前記被検出物質の前記第１結合部位に結合可能な磁性粒子が分散されている第１液体を第１フローチャネルの供給領域から前記第１フローチャネルの選別領域を経由して流し、前記選別領域に印加される磁界で前記磁性粒子と前記磁性粒子に結合されている前記被検出物質とを前記選別領域に捕捉する選別工程と、
前記選別領域を第２フローチャネルの接続領域に接続して前記被検出物質と前記磁性粒子が分散されていない第２液体を前記接続領域から前記第２フローチャネルの検出領域に向けて展開するとともに前記選別領域と前記接続領域から前記検出領域に向けて磁界を移動させ、前記検出領域で前記磁性粒子に結合された前記被検出物質を検出する検出工程と
を備える、検出方法。
【発明の詳細な説明】
【技術分野】
【０００１】
本発明は、被検出物質が分散している液体を用いて被検出物質を検出するための検出装置及び検出方法に関する。
【背景技術】
【０００２】
従来から、固定された検出物質の上に被検出物質が分散している液体を展開することで、被検出物質に特異的に結合する検出物質の性質を活用して被検出物質の検出を行う検出装置や検出方法が知られている。このような検出方法としては、例えば、特許文献１や特許文献２で説明されているイムノクロマトグラフィー法がある。
【先行技術文献】
【特許文献】
【０００３】
【特許文献１】特開２０１２−１８９４５３号公報
【特許文献２】国際公開第２０１４／００７２４８号パンフレット
【発明の概要】
【発明が解決しようとする課題】
【０００４】
特許文献１や特許文献２に記載されているような検出装置や検出方法では、液体中の被検出物質の濃度が低い場合や、夾雑物が液体中に多く存在している場合には被検出物質の検出感度が低下し、被検出物質を検出できない状況が発生することもある。例えば、夾雑物が検出物質と非特異的に反応する場合には、液体中に多くの夾雑物が残存している状態で検出を実施すると、被検出物質が検出物質と反応する前に全ての検出物質と夾雑物が先に反応してしまうような事態が起こりうる。また、人間の生体から取り出された被検出物質の検出を行う際には、液体中に人間の生体の組織片が混じっていることがあり、そのような場合には液体中から生体の組織片を取り除いた後に検出を実施する必要が生じる。このような夾雑物を取り除く作業が必要になると、検出に時間と手間が掛かってしまう。
【０００５】
本発明の課題は、被検出物質が分散している液体を用いて、簡単な作業で感度を向上させて検出を行うことのできる検出装置及び検出方法を提供することである。
【課題を解決するための手段】
【０００６】
以下に、課題を解決するための手段として複数の態様を説明する。これら態様は、必要に応じて任意に組み合せることができる。
本発明の一見地に係る検出装置は、第１結合部位と第２結合部位を持つ被検出物質と被検出物質の第１結合部位に特異的に結合可能な磁性粒子が分散されている第１液体を供給するための供給領域、及び供給領域から展開される第１液体が通過する選別領域が配置されている第１フローチャネルと、選別領域に捕らえられた磁性粒子に結合された被検出物質と磁性粒子とを展開するために選別領域に接続可能に構成されている接続領域、及び接続領域から展開される被検出物質の第２結合部位に結合可能な検出物質を有する検出領域が配置されている第２フローチャネルと、選別領域に接続領域を接続可能に構成され、供給領域から選別領域を通過して第１液体が流れる選別状態から、選別領域と接続領域を接続した後に接続領域から磁性粒子に結合された被検出物質と磁性粒子とを展開する検出状態に切り換えるための接続機構と、検出状態における選別領域の磁界よりも、選別状態における選別領域の磁界を強めるように選別領域に磁界を印加する磁界印加機構とを備える。
【０００７】
また、第１フローチャネルは、供給領域から毛細管現象によって第１液体を展開するための第１シートを含み、第１シートに選別領域が配置され、第２フローチャネルは、接続領域から検出領域に毛細管現象によって磁性粒子に結合された被検出物質と磁性粒子とを展開するための第２シートを含み、第２シートに接続領域が配置され、接続機構は、選別状態には第１シートと第２シートとが離隔している状態に保ち、検出状態には第１シートと第２シートとが接触している状態に切り換える、ように構成されてもよい。
【０００８】
また、第１フローチャネル及び第２フローチャネルは、接続機構によって選別領域と接続領域とが接触している状態で供給領域と選別領域とを繋げたままにして、被検出物質と磁性粒子が分散されていない第２液体を供給領域に供給することにより、接続領域を経由して検出領域に向け選別領域に捕らえられた磁性粒子に結合された被検出物質と磁性粒子とを流せるように構成されている、ものであってもよい。
【０００９】
また、磁界印加機構は、第１フローチャネルに対して移動可能に構成され、選別状態のときに在る場所から選別状態と検出状態の間に移動されることにより、選別状態における選別領域の磁界を検出状態における選別領域の磁界よりも強く印加する、ように構成されてもよい。
【００１０】
また、磁界印加機構は、第２フローチャネルに沿うように選別領域から検出領域に向けて磁界を移動させるモータをさらに備える、ものであってもよい。
また、検出装置は、検出領域に捕捉される磁性粒子を、磁束を用いて検出するセンサをさらに備える、ように構成されてもよい。
【００１１】
本発明の一見地に係る検出方法は、第１結合部位と第２結合部位を持つ被検出物質と被検出物質の第１結合部位に結合可能な磁性粒子が分散されている第１液体を第１フローチャネルの供給領域から第１フローチャネルの選別領域を経由して流し、選別領域に印加される磁界で磁性粒子と磁性粒子に結合されている被検出物質とを選別領域に捕捉する選別工程と、選別工程よりも選別領域に印加される磁界を弱め、選別領域を第２フローチャネルの接続領域に接続して被検出物質と磁性粒子が分散されていない第２液体を接続領域から第２フローチャネルの検出領域に向けて流し、磁束を用いて検出領域で磁性粒子に結合された被検出物質を検出する検出工程とを備える。
【００１２】
本発明の他の見地に係る検出方法は、第１結合部位と第２結合部位を持つ被検出物質と被検出物質の第１結合部位に結合可能な磁性粒子が分散されている第１液体を第１フローチャネルの供給領域から第１フローチャネルの選別領域を経由して流し、選別領域に印加される磁界で磁性粒子と磁性粒子に結合されている被検出物質とを選別領域に捕捉する選別工程と、選別領域を第２フローチャネルの接続領域に接続して被検出物質と磁性粒子が分散されていない第２液体を接続領域から第２フローチャネルの検出領域に向けて展開するとともに選別領域と接続領域から検出領域に向けて磁界を移動させ、検出領域で磁性粒子に結合された被検出物質を検出する検出工程とを備える。
【発明の効果】
【００１３】
本発明の検出装置又は検出方法によれば、被検出物質が分散している液体を用いて、簡単な作業で感度を向上させて検出を行うことができる。
【図面の簡単な説明】
【００１４】
【図１】（ａ）第１実施形態に係る検出装置の平面図、（ｂ）カバーを外した状態の検出装置の平面図、（ｃ）図１（ｂ）のＩ−Ｉ線に沿った切断面を示す図、（ｄ）図１（ｂ）のＩＩ−ＩＩ線に沿った切断面を示す図。
【図２】被検出物質の検出方法の概要を説明するための概念図。
【図３】（ａ）選別状態の検出装置の断面図、（ｂ）検出状態の検出装置の断面図。
【図４】（ａ）選別状態の検出装置の断面図、（ｂ）検出状態の検出装置の断面図。
【図５】（ａ）磁石の形状の変形例を説明するための磁石の模式的な平面図、（ｂ）図５（ａ）のＩＩＩ-ＩＩＩ線断面図。
【図６】磁石の配置の変形例を説明するための磁石の模式的な平面図。
【図７】（ａ）複数の磁石の配置例を説明するための磁石の模式的な平面図、（ｂ）図７（ａ）のＩＶ−ＩＶ線に沿った端面を示す図。
【図８】磁石の変形例を説明するための磁石の模式的な側面図。
【図９】（ａ）第２実施形態に係る検出装置の構成を示す模式的な断面図、（ｂ）検出装置の接続機構の構成を説明するための模式的な断面図、（ｃ）検出装置の磁界印加機構の動作を説明するための模式的な断面図、（ｄ）検出装置の磁性粒子検出用センサの動作を説明するための模式的な断面図。
【図１０】検査台の構成の一例を説明するためのブロック図。
【図１１】検査台の構成の変形例を説明するためのブロック図。
【図１２】複数の磁石の配置例を説明するための磁石の模式的な平面図。
【図１３】（ａ）磁石の配置の変形例を説明するための磁石の模式的な平面図、（ｂ）図１３（ａ）のＶ−Ｖ線断面図。
【図１４】磁石の変形例を説明するための磁石の模式的な側面図。
【図１５】（ａ）第３実施形態に係る検出装置の構成を示す模式的な断面図、（ｂ）検出装置の接続機構の構成を説明するための模式的な断面図、（ｃ）検出装置の磁界印加機構の動作を説明するための模式的な断面図。
【発明を実施するための形態】
【００１５】
＜第１実施形態＞
（１）検出装置の全体構成
以下、本発明の第１実施形態に係る検出装置について図面を用いて説明する。図１（ａ）は、第１実施形態に係る検出装置の平面図である。図１（ａ）に示されている検出装置１０には、平面視において第１フローチャネルＦ１と第２フローチャネルＦ２が直交する方向に重なった十字架のような形状を呈する樹脂製のカバー１１が被せられている。カバー１１には、供給口１１ａ、展開液注入口１１ｂ、操作窓１１ｃ、検出窓１１ｄ及び観察窓１１ｅの５つの開口部が形成されている。供給口１１ａは、サンプル液が供給される開口部である。展開液注入口１１ｂは、展開液が供給される開口部である。操作窓１１ｃは、配置されている磁石Ｍ１を操作するための開口部である。検出窓１１ｄは、捕集が完了したことを検出するための開口部である。観察窓１１ｅは、被検出物質の検出を行なうための開口部である。
第１フローチャネルＦ１と第２フローチャネルＦ２の重なる領域に、操作窓１１ｃが配置されている。第１フローチャネルＦ１の長辺に沿う方向の一方端Ｆ１ａと操作窓１１ｃの間に供給口１１ａが配置されている。第１フローチャネルＦ１の長辺に沿う方向の他方端Ｆ１ｂと操作窓１１ｃとの間に検出窓１１ｄが配置されている。操作窓１１ｃと第２フローチャネルＦ２の長辺に沿う方向の一方端Ｆ２ａとの間に展開液注入口１１ｂが配置されている。第２フローチャネルＦ２の長辺に沿う方向の他方端Ｆ２ｂと操作窓１１ｃとの間に観察窓１１ｅが配置されている。
【００１６】
（１−１）第１フローチャネル
図１（ｂ）には、カバー１１が取り外された状態の検出装置１０の平面形状が示されている。図１（ｃ）は、図１（ｂ）のＩ−Ｉ線に沿った切断面が示され、図１（ｄ）には、図１（ｃ）のＩＩ−ＩＩ線に沿った切断面が示されている。第１フローチャネルＦ１には、その一方端Ｆ１ａから他方端Ｆ１ｂに向けて、シート状のコンジュゲートパッドＰ１、シート状の捕集パッドＰ２（図１（ｃ）参照）及びシート状の吸収パッドＰ３が順に敷かれている。コンジュゲートパッドＰ１の一部と捕集パッドＰ２の一部とがオーバーラップされて接触している。捕集パッドＰ２の一部と吸収パッドＰ３の一部もオーバーラップされて接触している。そのために、コンジュゲートパッドＰ１の一部と捕集パッドＰ２の一部とが段違いに配置され、捕集パッドＰ２の一部と吸収パッドＰ３の一部とが段違いに配置されている。これらコンジュゲートパッドＰ１、捕集パッドＰ２及び吸収パッドＰ３は、上部ハウジング１２に取り付けられている。上部ハウジング１２において、コンジュゲートパッドＰ１と吸収パッドＰ３とは同一平面状に位置する。この上部ハウジング１２には、捕集パッドＰ２の中央部の平坦部分Ｐ２ａと同じか又は少し大きな開口部１２ａが形成されている。捕集パッドＰ２の平坦部分Ｐ２ａは開口部１２ａの中に納まっており、そのため捕集パッドＰ２の平坦部分Ｐ２ａの２辺には縁が形成されている。つまり、捕集パッドＰ２は平坦部分Ｐ２ａを底面とする断面Ｕ字状になっている。捕集パッドＰ２は、上部ハウジング１２と磁石支持部材１３との間に挟まれて張られているので、下方の展開液供給用パッドＰ４及び展開パッドＰ５とは接触しない。
【００１７】
（１−２）磁石
捕集パッドＰ２の上方には、磁石Ｍ１が取り付けられている。この磁石Ｍ１は平板状の形状を備えている。平板状の磁石Ｍ１は、その上面が例えばＮ極、下面がＳ極であって、捕集パッドＰ２に並行に配置されている。磁石Ｍ１は、磁石支持部材１３によって支えられている。磁石支持部材１３は、断面Ｕ字状の捕集パッドＰ２の中に配置されている。この検出装置１０は、下部ハウジング１４が下になり、上部ハウジング１２が上になった状態で使用される。磁石Ｍ１には、例えば希土類磁石を用いることができる。希土類磁石としては、例えば、ネオジウム磁石又はサマリウムコバルト磁石が使用できる。
【００１８】
（１−３）第２フローチャネル
第２フローチャネルＦ２には、その一方端Ｆ２ａから他方端Ｆ２ｂに向けて、シート状の展開液供給用パッドＰ４とシート状の展開パッドＰ５が順に敷かれている。展開液供給用パッドＰ４と展開パッドＰ５とは、同一平面状において離れて配置されている。これら展開液供給用パッドＰ４と展開パッドＰ５の間の領域の上に、捕集パッドＰ２と磁石Ｍ１が配置されている。展開液供給用パッドＰ４の上には、展開パッドＰ５のうちの観察窓１１ｅと重なる場所に、テストラインＬ１とコントロールラインＬ２が形成されている。第２フローチャネルＦ２の一方端Ｆ２ａに近い方からテストラインＬ１、コントロールラインＬ２の順に並んでいる。
【００１９】
（２）サンプルと展開液
サンプルとしては、例えば、唾液、汗、尿、血清、血液、培養細胞、組織片からの検体抽出液などが挙げられる。検出すべき被検出物質は、サンプルの中に分散されている。なお、被検出物質は、最初から液体中に分散されている必要は無く、被検出物質を含む固体をバッファ液中に分散させる調整を行って得られたものであってもよい。例えば、固体の中に混ざっている被検出物質を、全固体ごと生理食塩水に溶いてサンプルとして調整するなどである。
図２を用いて、サンプル中の被検出物質がどのように検出されるかを簡単に説明する。図２の円Ｃｒ１〜Ｃｒ５は検出の各場面の一部を概念的に拡大して表したものであって、図２の円Ｃｒ１〜Ｃｒ５の中には、被検出物質ｓ１、夾雑物ｆｓ、検出物質ｓ３、磁性粒子ｓ２及びコントロールライン形成用物質ｓ４が示されている。円Ｃｒ１の中には、サンプル液Ａ１の中に分散されている被検出物質ｓ１が夾雑物ｆｓとともに示されている。被検出物質ｓ１は、第１結合部位ｒ１と第２結合部位ｒ２を持っている。
円Ｃｒ２の中には、磁性粒子ｓ２が示されている。磁性粒子ｓ２は、捕集用結合部位ｒ３とコントロール用結合部位ｒ４とを持っている。被検出物質ｓ１の第１結合部位ｒ１は、磁性粒子ｓ２の捕集用結合部位ｒ３と特異的に結合する。このような磁性粒子ｓ２は、例えばコンジュゲートパッドＰ１に添加されている。
円Ｃｒ３の中には、円Ｃｒ１と円Ｃｒ２に中に記載されているものが混ざり合った状態が示されている。被検出物質ｓ１の第１結合部位ｒ１と磁性粒子ｓ２の捕集用結合部位ｒ３とが特異的に結合することにより、多くの被検出物質ｓ１と磁性粒子ｓ２とが結合する。互いに結合しない被検出物質ｓ１と磁性粒子ｓ２もあるが、その全体に占める割合は僅かである。
【００２０】
円Ｃｒ４の中には、テストラインＬ１上の状態の一例が模式的に示されている。磁性粒子ｓ２と結合した被検出物質ｓ１は、展開液Ａ２によってテストラインＬ１まで移動する。この展開液Ａ２は、サンプル液Ａ１と同じ組成であってもよく、また異なる組成であってもよい。展開パッドＰ５のテストラインＬ１上には、検出物質ｓ３が固定されている。検出物質ｓ３はテスト用結合部位ｒ５を持っている。検出物質ｓ３のテスト用結合部位ｒ５は、被検出物質ｓ１の第２結合部位ｒ２と特異的に結合する。円Ｃｒ３に示したように、多くの被検出物質ｓ１と磁性粒子ｓ２とが結合しているので、固定された検出物質ｓ３に被検出物質ｓ１が結合することで、多くの被検出物質ｓ１と一緒に多くの磁性粒子ｓ２がテストラインＬ１に固定される。
円Ｃｒ５の中には、コントロールラインＬ２上の状態の一例が模式的に示されている。被検出物質ｓ１と結合しなかった磁性粒子ｓ２は、展開液Ａ２によってコントロールラインＬ２まで移動する。展開パッドＰ５のコントロールラインＬ２上には、コントロールライン形成用物質ｓ４が固定されている。コントロールライン形成用物質ｓ４はコントロール用結合部位ｒ６を持っている。コントロールライン形成用物質ｓ４のコントロール用結合部位ｒ６は、磁性粒子ｓ２のコントロール用結合部位ｒ４と特異的に結合する。円Ｃｒ３に示したように、被検出物質ｓ１と結合しない磁性粒子ｓ２が存在するので、被検出物質ｓ１と結合していない磁性粒子ｓ２は、テストラインＬ１で固定されずにコントロールラインＬ２に到達して固定される。
【００２１】
（２−１）結合部位の特異的な結合
互いに特異的に結合する被検出物質ｓ１の第１結合部位ｒ１と磁性粒子ｓ２の捕集用結合部位ｒ３、検出物質ｓ３のテスト用結合部位ｒ５と被検出物質ｓ１の第２結合部位ｒ２、及びコントロールライン形成用物質ｓ４のコントロール用結合部位ｒ６と磁性粒子ｓ２のコントロール用結合部位ｒ４は、互いに特異的に結合するものであればよい。互いに特異的に結合するものとしては、例えば、抗原と抗体が挙げられる。抗原の例としては、hCG（ヒト絨毛性ゴナドトロピン）、PSA（前立腺特異抗原）、及びCEA（癌胎児性抗原）が挙げられる。抗体としては、抗原に特異的に結合するポリクロナール抗体もしくはモノクロナール抗体が例として挙げられる。例えばhCGが被検出物質ｓ１の第２結合部位ｒ２の場合には、検出物質ｓ３のテスト用結合部位ｒ５の例は抗hCGモノクロナール抗体である。
【００２２】
（２−２）展開液
展開液Ａ２は、上述のようにサンプル液Ａ１と同じ組成のものを用いてもよく、また異なる組成のものを用いてもよい。展開液Ａ２は、公知の展開液を用いることができ、例えば蒸留水又は水溶液である。展開液Ａ２に用いられる水溶液としては、ｐＨ緩衝材を含む水溶液が例に挙げられる。ｐＨ緩衝材を含む水溶液としては、例えばＰＢＳ（リン酸緩衝生理的食塩水：Phosphate buffered saline）溶液が例として挙げられる。
（２−３）磁性粒子
磁性粒子ｓ２には、イムノクロマトグラフィー法で用いられる公知の磁性粒子を用いることができる。磁性粒子ｓ２は、例えば数十ｎｍから数百ｎｍ程度の大きさである。
【００２３】
（３）検出装置の主要な構成材料
コンジュゲートパッドＰ１には、液体を一時的に保持し且つ液体を通過させる材料が用いられる。液体を通過させる材料としては、例えば、膜、紙、織布又は不織布がある。膜、紙、織布又は不織布の材質としては、例えば、ポリマー繊維、ガラス繊維、炭素繊維、又はポリマー膜がある。ポリマー繊維、ガラス繊維、炭素繊維、又はポリマー膜を用いた膜、紙、織布又は不織布の例としては、セルロースファイバー製の紙、セルロース混合物膜、ニトロセルロース膜、酢酸セルロース膜、セルロース誘導体膜、多孔性セルロース膜、ポリエステル膜、アクリロニトリルコポリマー膜、レーヨン膜、ポリエチレン膜、ポリ塩化ビニル膜、ポリフッ化ビニリデンナイロン膜、ガラス繊維濾紙、ガラス繊維からなる不織布、ポリマー繊維からなる布、及びポリマー繊維からなる不織布がある。コンジュゲートパッドＰ１には、これらの中でもガラス繊維からなるパッドが好ましい。
捕集パッドＰ２、展開液供給用パッドＰ４及び展開パッドＰ５の材料は、毛細管現象によってサンプル液Ａ１及び／又は展開液Ａ２を展開することが可能な材料である。捕集パッドＰ２、展開液供給用パッドＰ４及び展開パッドＰ５の材料としては、例えば、ニトロセルロース膜、ポリフッ化ビニリデン膜、ナイロン膜又はポリエーテルサルフォン膜がある。捕集パッドＰ２、展開液供給用パッドＰ４及び展開パッドＰ５の厚さは、例えば１００〜３００μｍ程度である。
吸収パッドＰ３の材料は、サンプル液Ａ１及び／又は展開液Ａ２を吸収することができる材料である。吸収パッドＰ３の材料としては、例えば、グラスファイバー、コットン（綿）又は濾紙がある。
【００２４】
（４）検出装置の操作
図３（ａ）及び図３（ｂ）並びに図４（ａ）及び図４（ｂ）を用いて、図２に示された被検出物質ｓ１の検出のための検出装置１０の操作について説明する。図３（ａ）及び図３（ｂ）には、図１（ｃ）に対応する検出装置１０の断面が示され、図４（ａ）及び図４（ｂ）には、図１（ｄ）に対応する検出装置１０の断面が示されている。
上部ハウジング１２の下に下部ハウジング１４が配置されるように、検出装置１０が水平な台の上に置かれて検出が実施される。まず、第１フローチャネルＦ１において、図１（ａ）に示された供給口１１ａを通してコンジュゲートパッドＰ１に、被検出物質ｓ１と夾雑物ｆｓとが含まれたサンプル液Ａ１が滴下される。コンジュゲートパッドＰ１には磁性粒子ｓ２が添加されているので、図２の円Ｃｒ３に示されているように、コンジュゲートパッドＰ１においてサンプル液Ａ１の中で多くの被検出物質ｓ１と磁性粒子ｓ２が特異的に結合する。このとき、磁性粒子ｓ２と夾雑物ｆｓが結合しないので、サンプル液Ａ１の中には、単独で存在する被検出物質ｓ１、単独で存在する磁性粒子ｓ２、磁性粒子ｓ２に結合した被検出物質ｓ１及び夾雑物ｆｓの分散された状態が生じる。このような状態が生じることから、この検出装置１０のコンジュゲートパッドＰ１が供給領域になる。コンジュゲートパッドＰ１に染み込んだサンプル液Ａ１は、コンジュゲートパッドＰ１に接触している捕集パッドＰ２まで染み渡る。捕集パッドＰ２では、毛細管現象によってサンプル液Ａ１がコンジュゲートパッドＰ１から吸収パッドＰ３に移動する。捕集パッドＰ２が吸収パッドＰ３に接触していることから吸収パッドＰ３にサンプル液Ａ１が吸収されるので、吸収されたサンプル液Ａ１を補うためにコンジュゲートパッドＰ１から捕集パッドＰ２を通って吸収パッドＰ３に達するサンプル液Ａ１の流れができる。その結果、捕集パッドＰ２では、サンプル液Ａ１とともに被検出物質ｓ１、磁性粒子ｓ２、磁性粒子ｓ２に結合した被検出物質ｓ１及び夾雑物ｆｓが吸収パッドＰ３に向かって移動する。
【００２５】
捕集パッドＰ２において、コンジュゲートパッドＰ１の方から吸収パッドＰ３の方にサンプル液Ａ１が移動するとき、磁石Ｍ１の磁界によって磁性粒子ｓ２及び磁性粒子ｓ２に結合した被検出物質ｓ１の移動速度が低下して磁石Ｍ１の磁界が印加されている領域に捕集されることになる。その結果、捕集パッドＰ２において磁石Ｍ１の磁界が印加されている領域では、単独で存在する被検出物質ｓ１と夾雑物ｆｓとが洗い流されて磁性粒子ｓ２と磁性粒子ｓ２に結合した被検出物質ｓ１とが残る選別が行われる。つまり、捕集パッドＰ２における磁石Ｍ１の磁界の印加されている領域が選別領域になる。
吸収パッドＰ３では、吸収したサンプル液Ａ１の浸透が進み、時間の経過とともにサンプル液Ａ１が染み込んだ領域が第１フローチャネルＦ１の他方端Ｆ１ｂまで達する。第１フローチャネルＦ１の他方端Ｆ１ｂの近傍であって検出窓１１ｄの下方を含む領域に、サンプル液Ａ１を検出する指示薬が添加されている。サンプル液Ａ１が水又は水溶液の場合には、指示薬としては、例えば、塩化第二銅、ブロモチモールブルー、クレゾールレッド、又はフェノールレッドを使用することができる。このような指示薬を用いると、中性の水が触れることで色の変化を生じ、水分の有無からサンプル液Ａ１が検出窓１１ｄの下にまで到達したことが検出される。サンプル液Ａ１が中性の水溶液の場合の指示薬は、中性の水が触れることで色の変化を生じて水分の有無が検出できればどのようなものであってもよい。
検出装置１０は、検出窓１１ｄの色の変化で、第１フローチャネルＦ１における選別工程の終了が示されるように構成されている。選別工程が終了した後に速やかに、図１（ａ）に示されている操作窓１１ｃから指で磁石Ｍ１を、図４（ａ）の矢印Ａｒ１の向きに押し込む。押し込まれる前の捕集パッドＰ２と展開パッドＰ５との間隔は、例えば０．５ｍｍ程度である。磁石支持部材１３は、外部から力が加わらなければ、開口部１２ａから下の下部ハウジング１４に向かって落下せずに、捕集パッドＰ２の上に乗せられた状態を維持している。しかし、矢印Ａｒ１の向きに力が加わると、図３（ａ）及び図４（ｂ）に示されているように、磁石支持部材１３とともに捕集パッドＰ２が第２フローチャネルＦ２の上に落下する。この磁石支持部材１３は、ただ乗せられているだけでなく、指で押せば折れる程度の細い棒状の部材で上部ハウジング１２に接続されていてもよい。
【００２６】
磁石支持部材１３の最大幅Ｗ３は、上部ハウジング１２の開口部１２ａの底部の幅Ｗ１よりも僅かに大きい。そして、磁石支持部材１３の側部はテーパ状に加工されており、磁石支持部材１３の底面の最大幅Ｗ２は、上部ハウジング１２の開口部１２ａの幅Ｗ１よりも僅かに小さい。また、磁石支持部材１３の外周と上部ハウジング１２の開口部１２ａとの間に挟まれた捕集パッドＰ２の厚みを加えると、開口部１２ａの幅Ｗ１よりも僅かに大きい。上部ハウジング１２の開口部１２ａも下方に行くほど大きさが小さくなるように側面がテーパ状に加工されている。上部ハウジング１２と下部ハウジング１４は接合されているが、磁石Ｍ１に矢印Ａｒ１の方向の力が加わると、上部ハウジング１２と下部ハウジング１４が変形して開口部１２ａが広がり、磁石支持部材１３が開口部１２ａを通って下に落ちることができる。
磁石支持部材１３とともに第２フローチャネルＦ２に落ちた捕集パッドＰ２は、図４（ｂ）に示されているように、展開液供給用パッドＰ４と展開パッドＰ５とに接触して展開液供給用パッドＰ４と展開パッドＰ５の橋渡しをするような状態になる。このとき、磁石支持部材１３の重みで、捕集パッドＰ２が展開液供給用パッドＰ４と展開パッドＰ５に十分に接触する。
【００２７】
磁石支持部材１３を押し込んだ後、磁石Ｍ１を磁石支持部材１３から取り外す。磁石Ｍ１が磁石支持部材１３から取り外されると、捕集パッドＰ２の選別領域の磁界が弱まりあるいは消滅し、捕集パッドＰ２に収集されている磁性粒子ｓ２と磁性粒子ｓ２に結合した被検出物質ｓ１の移動が可能になる。図３（ｂ）には磁石Ｍ１が取り外されているところが示され、図４（ｂ）には磁石Ｍ１が取り除かれた状態が示されている。
磁石Ｍ１が取り外された後、図１（ａ）に記載されている展開液注入口１１ｂを通して展開液供給用パッドＰ４に展開液Ａ２が注入される。展開液供給用パッドＰ４に注入された展開液Ａ２は、捕集パッドＰ２を通って展開パッドＰ５に展開される。そして、捕集パッドＰ２を展開液Ａ２が通過する際に、展開液Ａ２とともに磁性粒子ｓ２と磁性粒子ｓ２に結合した被検出物質ｓ１とが展開パッドＰ５をテストラインＬ１に向かって移動する。
【００２８】
展開液Ａ２がテストラインＬ１に到達すると、図２の円Ｃｒ４に示されているように、検出物質ｓ３と被検出物質ｓ１とが特異的に結合するので、磁性粒子ｓ２に結合した被検出物質ｓ１はテストラインＬ１よりも下流には展開されない。一方、単独で存在する磁性粒子ｓ２は、検出物質ｓ３とは結合しないことから、テストラインＬ１を超えて展開されてコントロールラインＬ２にまで到達する。観察窓１１ｅを通して、磁性粒子ｓ２の集積によってテストラインＬ１及びコントロールラインＬ２の着色、又はコントロールラインＬ２のみの着色が観察される。もし、コントロールラインＬ２の着色が観察されたときにテストラインＬ１が着色されなければ、被検出物質ｓ１がサンプル液Ａ１に含まれていないことを知ることができる。なお、観察窓１１ｅにおける観察を容易にするため、磁性粒子ｓ２は着色されていてもよく、例えば蛍光物質が磁性粒子ｓ２に結合されていてもよい。
このように磁石支持部材１３に取り外し可能に磁石Ｍ１が取り付けられることにより、検出状態における捕集パッドＰ２の選別領域の磁界よりも、選別状態における選別領域の磁界を強めるように選別領域に磁界を印加する磁界印加機構ＡＰ１が構成されている。また、捕集パッドＰ２の一部とオーバーラップして接触している展開パッドＰ５の一部が接続領域である。上部ハウジング１２の開口部１２ａに磁石支持部材１３が押し込めるようになっている構成が接続機構Ｃ１（図３（ａ）、図３（ｂ）、図４（ａ）及び図４（ｂ）参考）を構成している。この接続機構Ｃ１は、磁石支持部材１３が押し込まれる前のコンジュゲートパッドＰ１の供給領域から捕集パッドＰ２の選別領域を通過してサンプル液Ａ１が通過して流れる選別状態から、磁石支持部材１３が開口部１２ａの下に押し込まれて捕集パッドＰ２の選別領域から展開パッドＰ５の接続領域に磁性粒子ｓ２と磁性粒子ｓ２に結合された被検出物質ｓ１を展開する検出状態に切り換えることができる。
【００２９】
（５）変形例
（５−１）変形例１Ａ
上記第１実施形態では、平板状の磁石Ｍ１を捕集パッドＰ２と平行に配置する場合について説明したが、用いる磁石の形状は平板状には限られない。例えば、図５（ａ）に示されているように、平面視において円形の磁石Ｍ２を用いることができる。図５（ａ）においてＤ１方向が第１フローチャネルＦ１における展開方向（サンプル液の流れる方向）であり、Ｄ２方向が第２フローチャネルＦ２における展開方向（展開液の流れる方向）である。この磁石Ｍ２のＩＩＩ−ＩＩＩ線に沿った断面形状が図５（ｂ）に示されている。角部に磁性粒子ｓ２が集まらないように、アール加工され、下方が半球状になっている。なお、変形例１Ａでは図５（ａ）に示されているように、平面視において円形の磁石Ｍ２の底面をアール加工しているが、平板状の磁石Ｍ１の底面をアール加工してもよい。平面形状はどのようなものであってもよく、磁石の角部の磁束密度を緩和されていればよい。
【００３０】
（５−２）変形例１Ｂ
上記第１実施形態では、磁石Ｍ１の端部が第１フローチャネルＦ１の展開方向Ｄ１に対して直交するように配置されていたが、図６に示されているように、磁石Ｍ１の端部と展開方向Ｄ１のなす角αを９０度よりも小さく、例えば１０〜８０度程度になるように配置してもよい。このように流入側の磁石Ｍ１の端部が斜めに配置されていれば、磁束密度の高い部分を展開方向Ｄ１に均等に配置することでテストラインＬ１の方向に沿った磁性粒子ｓ２の濃度の変化を緩やかにすることができる。
【００３１】
（５−３）変形例１Ｃ
上記第１実施形態では、１個の磁石Ｍ１を配置したが、図７（ａ）に示されているように、捕集パッドＰ２に対向する面に、複数の磁石Ｍ３を配置してもよい。また、複数の磁石Ｍ３の配置方法は、第１フローチャネルＦ１の展開方向Ｄ１に沿って徐々に増やすように配置する。第１フローチャネルＦ１の展開方向Ｄ１に沿って徐々に磁界の印加される面積を増やすことでテストラインＬ１の方向に沿った濃度の急激な変化を抑えることができる。なお、単一の磁石を複数本並べてもよいし、図７（ｂ）に示されているように、磁石Ｍ３の底面を加工して形成してもよい。なお、図７（ｂ）には、図７（ａ）のＩＶ−ＩＶ線に沿った断面が示されている。これら磁石Ｍ３の断面形状は、図５（ｂ）に示されているような底面にアール加工が施された形状であることが好ましい。
（５−４）変形例１Ｄ
上記第１実施形態では、磁石Ｍ１を用いて磁界を印加する場合について説明したが、電磁石を用いて磁界を印加するようにしてもよい。その場合には、一つの電磁石で磁界を印加することもできるが、図８に示されているように、２つの電磁石Ｍ４を対向させて配置してもよい。また、上記変形例１Ａ〜１Ｃの構成を電磁石で実現することもできる。
【００３２】
＜第２実施形態＞
（６）検出装置の構成と動作
第２実施形態に係る検出装置及び検出方法について、図９及び図１０を用いて説明する。第２実施形態に係る検出装置１０Ａが第１実施形態に係る検出装置１０と異なる点は、第１フローチャネルＦ１と第２フローチャネルＦ２の位置が上下逆になっているところである。他の異なる点は、第２実施形態に係る検出装置１０Ａが磁石を自動的に駆動する機構を備えている点である。さらに異なる点は、第２実施形態に係る検出装置１０Ａが磁性粒子検出用センサを備えている点である。また、検出装置１０と異なる第４の点は、第１フローチャネルＦ１と第２フローチャネルＦ２とが同一方向に向けて配置され、コンジュゲートパッドＰ１が展開液供給用パッドと兼用されている点である。ハウジング１５には、コンジュゲートパッドＰ１の上に供給口１５ａが設けられ、展開パッドＰ５のテストラインＬ１とコントロールラインＬ２の上に観察窓１５ｂとが設けられている。
【００３３】
図１０に示されているように、検査台２０は、磁石駆動用モータ２１、磁性粒子検出用センサ２２、センサ駆動用モータ２３、制御装置２４、入力装置２５及び表示装置２６を備えている。ハウジング１５が検査台２０に取り付けられることにより、検出装置１０Ａが構成される。
第２実施形態に係る検出装置１０Ａも第１実施形態の検出装置１０と同様に、コンジュゲートパッドＰ１、捕集パッドＰ２及び吸収パッドＰ３が順に敷かれている。ただし、図９に示されている第１フローチャネルＦ１では、コンジュゲートパッドＰ１と捕集パッドＰ２と吸収パッドＰ３とが順に下がるように階段状に配置されている。また、コンジュゲートパッドＰ１の一部と捕集パッドＰ２の一部がオーバーラップして接触しており、捕集パッドＰ２の一部と吸収パッドＰ３の一部とがオーバーラップして接触している。
このような選別状態では、供給口１５ａを通してコンジュゲートパッドＰ１にサンプル液が滴下される。そして、コンジュゲートパッドＰ１に滴下されるサンプル液は、コンジュゲートパッドから捕集パッドＰ２を通して吸収パッドに展開される。
図９（ａ）に示されている選別状態で磁石Ｍ５により下から捕集パッドＰ２に磁界が印加されることにより、検出装置１０Ａでも選別工程で、単独で存在する磁性粒子ｓ２及び磁性粒子ｓ２に結合した被検出物質ｓ１（図２参照）が捕集パッドＰ２に捕集される。
【００３４】
次に、入力装置２５を使って検査工程の開始が指示されると、検査台２０に設置されている磁石駆動用モータ２１によって磁石Ｍ５が駆動される。捕集パッドＰ２の下には接続部材１６が配置されている。図９（ｂ）に示されているように、ハウジング１５から下方に突出した接続部材１６を磁石Ｍ５が押し上げることによって、捕集パッドＰ２が上方に持ち上げられ、捕集パッドＰ２が展開パッドＰ５に接触して接続される。接続部材１６は、一度上に上がると下がらないように構成されている。そのために、例えば、接続部材１６には、ハウジング１５の突出部（図示せず）に嵌合する切欠き（図示せず）が設けられている。ハウジング１５の上部に形成されている供給口１５ａから展開液が滴下されると、展開液は、展開液供給用パッドとしても兼用されているコンジュゲートパッドＰ１から捕集パッドＰ２を通して展開パッドＰ５に展開される。展開パッドＰ５に展開される展開液により磁性粒子ｓ２及び磁性粒子ｓ２に結合した被検出物質ｓ１がテストラインＬ１とコントロールラインＬ２に向けて移動される。この展開パッドＰ５の展開液の展開速度にあわせて、磁石駆動用モータ２１によってテストラインＬ１とコントロールラインＬ２に向けて磁石Ｍ５が移動させられる（図９（ｃ）参照）。その結果、磁石Ｍ５の磁界の移動がない場合に比べ、より多くの磁性粒子ｓ２に結合した被検出物質ｓ１がテストラインＬ１に到達し、磁性粒子ｓ２がコントロールラインＬ２に到達する。図９（ｃ）に示されているように、磁石Ｍ５がコントロールラインＬ２の下を通過した後に、図９（ｄ）に示されているように、磁石Ｍ５が捕集パッドＰ２の下まで引き戻され、センサ駆動用モータ２３により磁性粒子検出用センサ２２が観察窓１５ｂの上を通過するように移動する。この磁性粒子検出用センサ２２は、従来からある公知の方法によって磁性粒子ｓ２による磁束の変化からテストラインＬ１上の磁性粒子ｓ２の量を定量的に測定する。磁性粒子検出用センサ２２の測定結果は、制御装置２４で処理され、表示装置２６に表示される。
上述のように、磁石Ｍ５の通り道に突出した接続部材１６が接続機構Ｃ２を構成している。また、磁石駆動用モータ２１と磁石Ｍ５が磁界印加機構ＡＰを構成している。
【００３５】
（７）変形例
（７−１）変形例２Ａ
上記第２実施形態では、磁石Ｍ５と磁性粒子検出用センサ２２を駆動するため別々の磁石駆動用モータ２１とセンサ駆動用モータ２３とを用いたが、これらは一体的に移動させて図１１に示されているように１つの駆動モータ２７で駆動するように、検査台２０Ａを構成してもよい。この場合、磁石Ｍ５は、磁性粒子ｓ２を捕集するときの磁界強度と磁性粒子ｓ２の検出をするときの磁界強度を切り換えられるように構成されている電磁石であることが好ましい。
【００３６】
（７−２）変形例２Ｂ
上記第２実施形態では、磁石Ｍ５が一つの場合について説明したが、図１２（ａ）に示されているように、複数の磁石Ｍ６を用いてもよい。この場合、展開パッドＰ５に近い方の磁界が強くなるように配置することが好ましい。図１３（ａ）は磁石Ｍ７と捕集パッドＰ２との関係を模式的に示す底面図であり、図１３（ｂ）は図１３（ａ）のＶ−Ｖ線に沿った断面形状が示されている。図１３（ｂ）に示されているように、サンプル液の展開が進むに従って徐々に磁石Ｍ７が捕集パッドＰ２に近づくように配置されている。磁界が集中する磁石Ｍ７の角部Ｍ７ａは、捕集パッドＰ２が展開パッドＰ５に接触する接続領域の下に配置される。それにより、より多くの磁性粒子ｓ２及び磁性粒子ｓ２に結合した被検出物質ｓ１が接続領域に集まり、より多くの磁性粒子ｓ２及び磁性粒子ｓ２に結合した被検出物質ｓ１が展開パッドＰ５に展開されるので、検出感度を向上させることができる。また、図１４に示されているように、磁石Ｍ８と軟磁性体１７とを組み合わせてもよい。磁石Ｍ８と軟磁性体１７との間に捕集パッドＰ２を配置することで、磁界の分布を調整し易くなり、検出精度を向上させ易くなる。図１４の軟磁性体１７に代えて磁石を用いてもよい。
【００３７】
＜第３実施形態＞
（８）検出装置の構成と動作
次に、第３実施形態に係る検出装置について図１５を用いて説明する。上記第２実施形態の検出装置１０Ａは、上に第２フローチャネルＦ２があり、下に第１フローチャネルＦ１があったが、第３実施形態に係る検出装置１０Ｂは、上に第１フローチャネルＦ１があり、下に第２フローチャネルＦ２がある。そこで、第３実施形態に係る検出装置１０Ｂについては、主に、接続機構と時間印加機構に重点をおいて説明する。検出装置１０Ｂは、ハウジング１８の上面に供給口１８ａと検出窓１８ｂとを有する。供給口１８ａはコンジュゲートパッドＰ１の上に配置されている。また、検出窓１８ｂは、水分を検出するための吸収パッドＰ３の指示薬が添加されている領域に配置されている。
第３実施形態に係る検出装置１０Ｂも第２実施形態の検出装置１０Ａと同様に、コンジュゲートパッドＰ１、捕集パッドＰ２及び吸収パッドＰ３が順に敷かれている。ただし、図１５に示されている第１フローチャネルＦ１では、コンジュゲートパッドＰ１の下に捕集パッドＰ２が配置され、捕集パッドＰ２の上に吸収パッドＰ３が配置されている。
【００３８】
接続機構Ｃ３は、ブレード３１とレール３２と感圧接着剤３３とで構成されている。ブレード３１はレール３２に導かれて移動する。レール３２は、捕集パッドＰ２の両横を上から下に向けて、側面から見て捕集パッドＰ２と交差するように配置されている。レール３２の上部側とレール３２よりもコンジュゲートパッドＰ１のがわの捕集パッドＰ２の領域とが交わる角度は９０度よりも小さくなっている。そのため、レール３２に導かれて、ブレード３１は、サンプル液の流れの下流方向に向かって斜めに侵入する。その結果、ブレード３１に沿うように捕集パッドＰ２が折り曲げられ、捕集パッドＰ２が吸収パッドＰ３から離れて展開パッドＰ５に接触する。展開パッドＰ５のコンジュゲートパッドＰ１に近い端部に形成されている感圧接着剤３３により、捕集パッドＰ２が展開パッドＰ５に接着される。このように、感圧接着剤３３で接着されることにより、コンジュゲートパッドＰ１、捕集パッドＰ２及び展開パッドＰ５が接続された第２フローチャネルＦ２が形成される。このとき、展開パッドＰ５の一部の捕集パッドＰ２の一部に接触される接続領域がブレード３１に沿って斜めに傾斜している。ブレード３１及び感圧接着剤３３は、コンタミネーションを避けるために、捕集パッドＰ２の展開パスに掛からないように捕集パッドＰ２の両側部に対応する位置に形成されることが好ましい。例えば、ブレード３１及び感圧接着剤３３に対応する位置に、捕集パッドＰ２から両側部の外側に突出する耳部を形成するとよい。
【００３９】
このように選別状態（選別工程）から検出状態（検出工程）に切り換えられると、供給口１８ａから展開液が滴下され、展開液は、展開液供給用パッドとしても兼用されているコンジュゲートパッドＰ１から捕集パッドＰ２を通して展開パッドＰ５に展開される。展開パッドＰ５に展開される展開液により磁性粒子ｓ２及び磁性粒子ｓ２に結合した被検出物質ｓ１がテストラインＬ１とコントロールラインＬ２に向けて移動される。
第３実施形態の検出装置１０Ｂも図１０に示されている構成を有しており、磁石Ｍ９も磁石駆動用モータ２１で駆動される。ただし、検出装置１０Ｂは、磁石Ｍ９を導くレール３５をさらに備えている。このレール３５は、端部が傾斜している展開パッドＰ５に沿って、一旦斜め下方に磁石Ｍ９を移動させた後に水平に磁石Ｍ９を移動させる。このように展開パッドＰ５からの距離を一定に保ちながら磁石Ｍ９を移動することにより磁石Ｍ９によって展開パッドＰ５に印加される磁界をほぼ一定に保つことができる。そして、この展開パッドＰ５の展開液の展開速度にあわせて、磁石駆動用モータ２１によってテストラインＬ１とコントロールラインＬ２に向けて磁石Ｍ９が移動させられる（図１５（ｂ）及び図１５（ｃ）参照）。以上のように、磁石Ｍ９と磁石駆動用モータ２１とレール３５とを備えて磁界印加機構ＡＰ３が構成されている。
【００４０】
（９）特徴
（９−１）
上述のように、検出装置１０，１０Ａ，１０Ｂは、第１フローチャネルＦ１と、第２フローチャネルＦ２と、接続機構Ｃ１，Ｃ２，Ｃ３と、磁界印加機構ＡＰ１，ＡＰ２，ＡＰ３とを備えている。検出装置１０，１０Ａ，１０Ｂの第１フローチャネルＦ１のコンジュゲートパッドＰ１が、図２に記載されている第１結合部位ｒ１と第２結合部位ｒ２を持つ被検出物質ｓ１と被検出物質ｓ１の第１結合部位に特異的に結合可能な磁性粒子ｓ２が分散されているサンプル液Ａ１（第１液体の例）を供給するための供給領域である。また、第１フローチャネルＦ１の捕集パッドＰ２が、供給領域から展開されるサンプル液Ａ１が通過する選別領域である。第２フローチャネルＦ２の展開パッドＰ５のうち捕集パッドＰ２に接触する領域が、選別領域に捕らえられた磁性粒子ｓ２に結合された被検出物質ｓ１と磁性粒子ｓ２とを展開するために捕集パッドＰ２の選別領域に接続可能に構成されている接続領域である。展開パッドＰ５のテストラインＬ１が検出領域であって、接続領域から展開される被検出物質ｓ１の第２結合部位ｒ２に結合可能なテスト用結合部位ｒ５を持つ検出物質ｓ３を有している。
【００４１】
供給領域から選別領域を通過してサンプル液が流れる選別状態は、検出装置１０の接続機構Ｃ１では開口部１２ａに磁石支持部材１３を押し込む前の状態であり、検出装置１０Ａの接続機構Ｃ２では接続部材１６を押し上げる前の状態であり、検出装置１０Ｂの接続機構Ｃ３ではブレード３１を押し込む前の状態である。また、選別領域と接続領域を接続した後に接続領域から磁性粒子ｓ２に結合された被検出物質ｓ１と磁性粒子ｓ２とを展開する検出状態は、検出装置１０の接続機構Ｃ１では開口部１２ａに磁石支持部材１３を押し込んだ後の状態であり、検出装置１０Ａの接続機構Ｃ２では接続部材１６を押し上げた後の状態であり、検出装置１０Ｂの接続機構Ｃ３ではブレード３１を押し込んだ後の状態である。
そして、磁界印加機構ＡＰ１，ＡＰ２，ＡＰ３は、検出状態における選別領域の磁界よりも、選別状態における選別領域の磁界を強めるように捕集パッドＰ２の選別領域に磁界を印加するように構成されている。
このように、検出状態の前に、磁界印加機構ＡＰ１，ＡＰ２，ＡＰ３により選別領域の磁界が強められるため、磁界によって捕捉される磁性粒子ｓ２に結合された被検出物質ｓ１と磁性粒子ｓ２以外の夾雑物ｆｓなどを洗い流すことが可能になる。そして、選別状態によって純度や濃度が高められた後に、接続機構Ｃ１，Ｃ２，Ｃ３により検出状態にされるので、接続機構Ｃ１，Ｃ２，Ｃ３の切り換えを行うという簡単な操作で、被検出物質ｓ１が分散しているサンプル液を用いて感度を向上させて被検出物質ｓ１の検出を行うことができる。
【００４２】
（９−２）
第１フローチャネルＦ１は、供給領域から毛細管現象によってサンプル液Ａ１を展開するための捕集パッドＰ２（第１シート）を含み、捕集パッドＰ２に選別領域が配置されている。第２フローチャネルＦ２は、接続領域から検出領域に毛細管現象によって磁性粒子ｓ２に結合された被検出物質ｓ１と磁性粒子ｓ２とを展開するための展開パッドＰ５（第２シートの例）を含み、展開パッドＰ５に接続領域が配置されている。接続機構Ｃ１，Ｃ２，Ｃ３は、選別状態には捕集パッドＰ２と展開パッドＰ５とが離隔している状態に保ち、検出状態には捕集パッドＰ２と展開パッドＰ５とが接触している状態に切り換える。このように接続機構Ｃ１，Ｃ２，Ｃ３が構成されているので、シート状の捕集パッドＰ２とシート状の展開パッドＰ５との接触と非接触を切り換えるだけであることから、接続機構Ｃ１，Ｃ２，Ｃ３が簡素化されかつ小型化される。
【００４３】
（９−３）
第１フローチャネルＦ１及び第２フローチャネルＦ２は、接続機構Ｃ２，Ｃ３によって選別領域と接続領域とが接触している状態で供給領域と選別領域とを繋げたままにして、被検出物質ｓ１と磁性粒子ｓ２が分散されていない展開液Ａ２を供給領域に供給することにより、接続領域を経由して検出領域に向け選別領域に捕らえられた磁性粒子ｓ２に結合された被検出物質ｓ１と磁性粒子ｓ２とを流せるように構成されている。それ故、サンプル液Ａ１と展開液Ａ２を受け入れるための構造を共通化でき、検出装置１０，１０Ａ，１０Ｂの構造を簡素化できる。
【００４４】
（９−４）
磁界印加機構ＡＰ１は磁石Ｍ１を取り外し可能に構成され、磁界印加機構ＡＰ２，ＡＰ３は磁石駆動用モータ２１で磁石Ｍ２〜Ｍ９を移動させることにより、検出状態における選別領域の磁界を選別状態における選別領域の磁界よりも強く印加するので、構成が簡単になり検出装置１０，１０Ａ，１０Ｂを安価に適用できる。
（９−５）
特に磁界印加機構ＡＰ２，ＡＰ３は、磁石駆動用モータ２１で磁石Ｍ２〜Ｍ９を移動させ第２フローチャネルＦ２に沿うように選別領域から検出領域に向けて磁界を移動させるので、テストラインＬ１に多くの磁性粒子ｓ２に結合した被検出物質ｓ１を到達させることができ、検出の感度を向上させることができる。
（９−６）
検出装置１０Ａ，１０Ｂでは、検出領域に捕捉される磁性粒子を、磁束を用いて検出する磁性粒子検出用センサ２２を備えているので、精度の高い検出が可能になる。また、被検出物質ｓ１の定量的な測定ができるように構成することも可能になる。
【００４５】
（１０）変形例
上記実施形態１から３では、毛細管現象によって液体を展開する場合について説明したが、検出装置の展開は毛細管現象以外の方法で行ってもよく、例えばシリンジポンプなどで液体を移動させるようにしてもよい。
【符号の説明】
【００４６】
１０，１０Ａ，１０Ｂ  検出装置
１３  磁石支持部材
２１  磁石駆動用モータ
３１  ブレード
３２  レール
３３  感圧接着剤
Ｆ１  第１フローチャネル
Ｆ２  第２フローチャネル
Ｃ１，Ｃ２，Ｃ３  接続機構
ＡＰ１，ＡＰ２，ＡＰ３  磁界印加機構
Ｐ１  コンジュゲートパッド
Ｐ２  捕集パッド
Ｐ５  展開パッド
Ｍ１〜Ｍ３  磁石
Ｍ４  電磁石
Ｍ５〜Ｍ９  磁石
【図１】
0006385245.tif 000002
【図２】
0006385245.tif 000003
【図３】
0006385245.tif 000004
【図４】
0006385245.tif 000005
【図５】
0006385245.tif 000006
【図６】
0006385245.tif 000007
【図７】
0006385245.tif 000008
【図８】
0006385245.tif 000009
【図９】
0006385245.tif 000010
【図１０】
0006385245.tif 000011
【図１１】
0006385245.tif 000012
【図１２】
0006385245.tif 000013
【図１３】
0006385245.tif 000014
【図１４】
0006385245.tif 000015
【図１５】
0006385245.tif 000016